(57)【特許請求の範囲】
【請求項１】
無線タグ及び送電部を備えた充電器に近接させて充電する受電部と、無線タグリーダと、アクセスネットワークに接続可能な通信インタフェースとを備えた携帯型情報機器であって、
前記無線タグのタグ情報は、サーバへのコネクション接続情報を含んでおり、
前記充電器に近接された際に、前記受電部の充電開始を検知する充電検知手段と、
前記受電部の充電開始が検知された際に、前記無線タグリーダを起動して、前記充電器の無線タグのタグ情報を読み取らせる無線タグリーダ起動制御手段と
前記アクセスネットワークを介して、前記タグ情報に含まれる前記コネクション接続情報の当該サーバに対するコネクションの接続を開始するコネクション接続制御手段と
を有することを特徴とする携帯型情報機器。
【請求項２】
前記受電部は、前記充電器の送電部に対するワイヤレス充電機能であることを特徴とする請求項１に記載の携帯型情報機器。
【請求項３】
前記充電検知手段は、前記無線タグリーダ起動制御手段によって前記無線タグリーダが起動された際、電磁誘導の充電回路を一時的に切断することによって、無線タグ用の電波に、充電用の電磁波が干渉しないようにする
ことを特徴とする請求項１又は２に記載の携帯型情報機器。
【請求項４】
前記無線タグのタグ情報は、前記アクセスネットワークのアクセスポイント又は基地局へのリンク接続情報を含み、
前記アクセスネットワークを介して、前記リンク接続情報の当該アクセスポイント又は基地局に対するリンク接続を開始するリンク接続制御手段を更に有する
ことを特徴とする請求項１から３のいずれか１項に記載の携帯型情報機器。
【請求項５】
当該携帯型情報機器は、その機器に搭載されたバッテリの充電残量を検知する充電残量検知手段を更に有し、
前記リンク接続制御手段は、前記バッテリの充電残量が所定閾値以下である場合、前記アクセスネットワークへの接続を開始しない
ことを特徴とする請求項４に記載の携帯型情報機器。
【請求項６】
前記リンク接続制御手段は、所定の接続可能時間を計時するタイマを有し、前記アクセスネットワークへのリンクの接続時に前記タイマをスタートさせ、その後、前記タイマがタイムアウトした際に、前記アクセスネットワークとのリンクを切断する
ことを特徴とする請求項４又は５に記載の携帯型情報機器。
【請求項７】
前記サーバから受信したコンテンツを受信し、ユーザインタフェースで再生するコンテンツ取得再生手段を
更に有することを特徴とする請求項１から６のいずれか１項に記載の携帯型情報機器。
【請求項８】
当該携帯型情報機器の前記ユーザインタフェースは、ディスプレイと、ユーザ側を撮像するフロントカメラとを有し、
当該携帯型情報機器は、前記フロントカメラを用いて、当該ユーザがディスプレイに向かう顔を認識する顔認識手段を更に有し、
前記コンテンツ取得再生手段は、前記顔認識手段によって当該顔が認識されている際に、前記サーバから受信したコンテンツを前記ディスプレイに表示する
ことを特徴とする請求項７に記載の携帯型情報機器。
【請求項９】
当該携帯型情報機器は、現在位置を測位する測位手段を更に有し、
前記コンテンツ取得再生手段は、前記測位手段によって測位された現在位置を前記サーバへ送信し、該サーバから当該現在位置に基づくコンテンツを受信する
ことを特徴とする請求項７又は８に記載の携帯型情報機器。
【請求項１０】
当該携帯型情報機器は、ユーザに対するサービス情報を取得するサービス情報取得手段を更に有し、
前記コンテンツ取得再生手段は、前記現在位置と共に前記サービス情報も前記サーバへ送信し、該サーバによって前記現在位置及び前記サービス情報の組み合わせに基づく認証結果に対するコンテンツを受信する
ことを特徴とする請求項９に記載の携帯型情報機器。
【請求項１１】
請求項１から１０のいずれか１項に記載の携帯型情報機器と、無線タグ及び送電部を備えた充電器とを有するシステムであって、
前記充電器は、当該携帯型情報機器の無線タグリーダが、当該充電器の無線タグに近接するべく、前記携帯型情報機器を設置可能である
ことを特徴とするシステム。
【請求項１２】
請求項７から１０のいずれか１項に記載の携帯型情報機器と、前記充電器と、前記携帯型情報機器からネットワークを介してアクセスされるサーバとを有するシステムであって、
前記携帯型情報機器の前記コンテンツ取得再生手段は、当該携帯型情報機器に予め記憶された所定情報を含むコンテンツ取得要求を前記サーバへ送信し、
前記サーバは、前記コンテンツ取得要求に含まれる前記所定情報に応じたコンテンツを検索し、当該コンテンツを前記携帯型情報機器へ返信する
ことを特徴とするシステム。
【請求項１３】
前記携帯型情報機器は、当該携帯型情報機器のディスプレイに表示すべき前記コンテンツを送信する近距離通信部を更に有し、
前記充電器は、前記携帯型情報機器から前記コンテンツを受信する前記近距離通信部と、前記コンテンツを表示するディスプレイとを更に有する
ことを特徴とする請求項１２に記載のシステム。
【請求項１４】
無線タグ及び送電部を備えた充電器に近接させて充電する受電部と、無線タグリーダと、アクセスネットワークに接続可能な通信インタフェースとを備えた携帯型情報機器に搭載されたコンピュータを機能させるプログラムであって、
前記無線タグのタグ情報は、サーバへのコネクション接続情報を含んでおり、
前記充電器に近接された際に、前記受電部の充電開始を検知する充電検知手段と、
前記受電部の充電開始が検知された際に、前記無線タグリーダを起動して、前記充電器の無線タグのタグ情報を読み取らせる無線タグリーダ起動制御手段と
前記アクセスネットワークを介して、前記タグ情報に含まれる前記コネクション接続情報の当該サーバに対するコネクションの接続を開始するコネクション接続制御手段と
してコンピュータを機能させることを特徴とする携帯型情報機器用のプログラム。
【請求項１５】
無線タグ及び送電部を備えた充電器と、該充電器に近接させて充電する受電部、無線タグリーダ、及び、アクセスネットワークに接続可能な通信インタフェースを備えた携帯型情報機器とを有するシステムの充電方法であって、
前記無線タグのタグ情報は、サーバへのコネクション接続情報を含んでおり、
前記充電器に近接された際に、前記受電部の充電開始を検知する第１のステップと、
前記受電部の充電開始が検知された際に、前記無線タグリーダを起動して、前記充電器の無線タグのタグ情報を読み取らせる第２のステップと、
前記アクセスネットワークを介して、前記タグ情報に含まれる前記コネクション接続情報の当該サーバに対するコネクションの接続を開始する第３のステップと
を有することを特徴とするシステムの充電方法。
【発明の詳細な説明】
【技術分野】
【０００１】
本発明は、携帯型情報機器を充電する技術に関する。
【背景技術】
【０００２】
携帯型情報機器として、バッテリを搭載したスマートフォンや携帯電話機、タブレット端末、デジタルカメラ等が普及しており、充電ケーブルを電源コンセントに接続することによって充電することができる。近年、充電ケーブルを接続する手間を無くすべく、充電パッドに、携帯型情報機器を載せるだけで充電することができる技術がある（例えば非特許文献１及び２参照）。特に、低電力型のワイヤレス給電技術であって、Ｑｉ（チー）と称される国際標準規格化されたものがある。この技術は、充電パッド側のコイルに電流を流すことによって発生した磁束を媒介して、携帯型情報機器側のコイルに起電力を発生させる「電磁誘導方式」に基づくものである。携帯型情報機器を、充電パッドに載せるだけで充電できるので、ユーザの利便性を高めることができる。
【０００３】
図１は、携帯型情報機器を、充電パッドで充電する態様を表す説明図である。
【０００４】
図１によれば、携帯型情報機器としてのスマートフォン１を、充電器としての充電パッド２に載せただけである。このとき、充電パッド２の上面に埋め込まれた送電側コイルと、スマートフォン１の背面に埋め込まれた受電側コイルとが近接する。充電パッド２のコイルに電流を流すことによって発生した磁束を媒介して、スマートフォン１のコイルに起電力を発生させる。そして、スマートフォン１内部のコイルに発生した起電力が、バッテリへ給電される。
【０００５】
また、他の技術として、特にスマートフォンのような携帯型情報機器には、近年、ＮＦＣ(Near Field Communication)が一般的に搭載されてきている。ＮＦＣとは、近距離通信の国際標準規格であって、１０ｃｍ程度の距離で、瞬間的に「かざす」だけのデータ通信を実現する。具体的には、ＮＦＣは、カードエミュレーション機能と、リーダ・ライタ機能とを有し、リーダ側としてもライタ側としても、小容量の情報を送受信することができる。ＮＦＣの通信を実行する場合、ユーザは、カードエミュレーション側のスマートフォンを、リーダ側の特定装置に対して、能動的に「かざす」ようにタッチする必要がある。スマートフォンに搭載されたＮＦＣは、様々な用途に用いることができる（例えば非特許文献３、４、５参照）。
【先行技術文献】
【非特許文献】
【０００６】
【非特許文献１】「無接点充電・ワイヤレス給電規格「Qi（チー）」の基礎知識」、[online]、［平成２５年７月３１日検索］、インターネット＜URL:http://matome.naver.jp/odai/2133793364350837401＞
【非特許文献２】「無接点充電パッド「チャージパッド」の導入を開始」、[online]、［平成２５年７月３１日検索］、インターネット＜URL:http://panasonic.co.jp/corp/news/official.data/data.dir/jn120525-7/jn120525-7.html＞
【非特許文献３】「大容量コンテンツを簡単に再生――KDDIの「NFC×Wi-Fi連携システム」、[online]、［平成２５年７月３１日検索］、インターネット＜URL:http://www.itmedia.co.jp/mobile/articles/1205/30/news079.html＞
【非特許文献４】「NFC×Wi-Fiから“超”高速無線技術まで――「通信」に注力するKDDI」、[online]、［平成２５年７月３１日検索］、インターネット＜URL:http://www.itmedia.co.jp/news/articles/1205/31/news094.html＞
【非特許文献５】「ワイヤレスジャパン2012・NFCポスターにかざしWi-Fiでコンテンツ、KDDIがデモ」、[online]、［平成２５年７月３１日検索］、インターネット＜URL:http://k-tai.impress.co.jp/docs/event/wj2012/20120530_536494.html＞
【発明の概要】
【発明が解決しようとする課題】
【０００７】
スマートフォンのような携帯型情報機器は、大容量バッテリを搭載することが難しく、ユーザは、常にバッテリの充電残量に気遣う必要に迫られる。そのために、近年、喫茶店やファストフード店のような店舗では、ユーザ所持のスマートフォンに対して、無料で充電させるサービスも増加してきている。ユーザは、スマートフォンの充電残量が少なくなったとき、そのような店舗に入店することによって、そのスマートフォンに充電することができる。
【０００８】
ここで、本願の発明者らは、店舗内で、スマートフォンを充電器で充電している間、ユーザに対して何らかのサービスや情報を提供できないか？と考えた。そのためには、特定店舗内で充電中であるという状態を、スマートフォンに認識させる必要がある。具体的には、その店舗内で充電中であれば、そのスマートフォンから、その店舗のホームページへ強制的にアクセスさせ、その店舗のコンテンツをユーザに閲覧させることはできないか？と考えた。即ち、広告効果を期待することができるのではないか？と考えた。
【０００９】
そこで、本発明は、携帯型情報機器が充電器から所定情報を読み取ることによって、充電中に様々なサービスを実行する携帯型情報機器、システム、プログラム及び方法を提供することを目的とする。
【課題を解決するための手段】
【００１０】
本発明によれば、無線タグ及び送電部を備えた充電器に近接させて充電する受電部と、無線タグリーダと、アクセスネットワークに接続可能な通信インタフェースとを備えた携帯型情報機器であって、
無線タグのタグ情報は、サーバへのコネクション接続情報を含んでおり、
充電器に近接された際に、受電部の充電開始を検知する充電検知手段と、
受電部の充電開始が検知された際に、無線タグリーダを起動して、充電器の無線タグのタグ情報を読み取らせる無線タグリーダ起動制御手段と
アクセスネットワークを介して、タグ情報に含まれるコネクション接続情報の当該サーバに対するコネクションの接続を開始するコネクション接続制御手段と
を有することを特徴とする。
【００１１】
本発明の携帯型情報機器における他の実施形態によれば、受電部は、充電器の送電部に対するワイヤレス充電機能であることも好ましい。
【００１２】
本発明の携帯型情報機器における他の実施形態によれば、充電検知手段は、無線タグリーダ起動制御手段によって無線タグリーダが起動された際、電磁誘導の充電回路を一時的に切断することによって、無線タグ用の電波に、充電用の電磁波が干渉しないようにすることも好ましい。
【００１３】
本発明の携帯型情報機器における他の実施形態によれば、
無線タグのタグ情報は、アクセスネットワークのアクセスポイント又は基地局へのリンク接続情報を含み、
アクセスネットワークを介して、リンク接続情報の当該アクセスポイント又は基地局に対するリンク接続を開始するリンク接続制御手段を更に有する
ことも好ましい。
【００１４】
本発明の携帯型情報機器における他の実施形態によれば、
当該携帯型情報機器は、その機器に搭載されたバッテリの充電残量を検知する充電残量検知手段を更に有し、
リンク接続制御手段は、バッテリの充電残量が所定閾値以下である場合、アクセスネットワークへの接続を開始しないことも好ましい。
【００１５】
本発明の携帯型情報機器における他の実施形態によれば、リンク接続制御手段は、所定の接続可能時間を計時するタイマを有し、アクセスネットワークへのリンクの接続時にタイマをスタートさせ、その後、タイマがタイムアウトした際に、アクセスネットワークとのリンクを切断することも好ましい。
【００１６】
本発明の携帯型情報機器における他の実施形態によれば、
サーバから受信したコンテンツを受信し、ユーザインタフェースで再生するコンテンツ取得再生手段を
更に有することも好ましい。
【００１７】
本発明の携帯型情報機器における他の実施形態によれば、
当該携帯型情報機器のユーザインタフェースは、ディスプレイと、ユーザ側を撮像するフロントカメラとを有し、
当該携帯型情報機器は、フロントカメラを用いて、当該ユーザがディスプレイに向かう顔を認識する顔認識手段を更に有し、
コンテンツ取得再生手段は、顔認識手段によって当該顔が認識されている際に、サーバから受信したコンテンツをディスプレイに表示することも好ましい。
【００１８】
本発明の携帯型情報機器における他の実施形態によれば、
当該携帯型情報機器は、現在位置を測位する測位手段を更に有し、
コンテンツ取得再生手段は、測位手段によって測位された現在位置をサーバへ送信し、該サーバから当該現在位置に基づくコンテンツを受信することも好ましい。
【００１９】
本発明の携帯型情報機器における他の実施形態によれば、
当該携帯型情報機器は、ユーザに対するサービス情報を取得するサービス情報取得手段を更に有し、
コンテンツ取得再生手段は、現在位置と共にサービス情報もサーバへ送信し、該サーバによって現在位置及びサービス情報の組み合わせに基づく認証結果に対するコンテンツを受信する
ことも好ましい。
【００２０】
本発明によれば、前述した携帯型情報機器と、無線タグ及び送電部を備えた充電器とを有するシステムであって、
充電器は、当該携帯型情報機器の無線タグリーダが、当該充電器の無線タグに近接するべく、携帯型情報機器を設置可能であることを特徴とする。
【００２１】
本発明によれば、前述した携帯型情報機器と、充電器と、携帯型情報機器からネットワークを介してアクセスされるサーバとを有するシステムであって、
携帯型情報機器のコンテンツ取得再生手段は、当該携帯型情報機器に予め記憶された所定情報を含むコンテンツ取得要求をサーバへ送信し、
サーバは、コンテンツ取得要求に含まれる所定情報に応じたコンテンツを検索し、当該コンテンツを携帯型情報機器へ返信する
ことを特徴とする。
【００２２】
本発明のシステムにおける他の実施形態によれば、
携帯型情報機器は、当該携帯型情報機器のディスプレイに表示すべきコンテンツを送信する近距離通信部を更に有し、
充電器は、携帯型情報機器からコンテンツを受信する近距離通信部と、コンテンツを表示するディスプレイとを更に有することも好ましい。
【００２３】
本発明によれば、無線タグ及び送電部を備えた充電器に近接させて充電する受電部と、無線タグリーダと、アクセスネットワークに接続可能な通信インタフェースとを備えた携帯型情報機器に搭載されたコンピュータを機能させるプログラムであって、
無線タグのタグ情報は、サーバへのコネクション接続情報を含んでおり、
充電器に近接された際に、受電部の充電開始を検知する充電検知手段と、
受電部の充電開始が検知された際に、無線タグリーダを起動して、充電器の無線タグのタグ情報を読み取らせる無線タグリーダ起動制御手段と
アクセスネットワークを介して、タグ情報に含まれるコネクション接続情報の当該サーバに対するコネクションの接続を開始するコネクション接続制御手段と
してコンピュータを機能させることを特徴とする。
【００２４】
本発明によれば、無線タグ及び送電部を備えた充電器と、該充電器に近接させて充電する受電部、無線タグリーダ、及び、アクセスネットワークに接続可能な通信インタフェースを備えた携帯型情報機器とを有するシステムの充電方法であって、
無線タグのタグ情報は、サーバへのコネクション接続情報を含んでおり、
充電器に近接された際に、受電部の充電開始を検知する第１のステップと、
受電部の充電開始が検知された際に、無線タグリーダを起動して、充電器の無線タグのタグ情報を読み取らせる第２のステップと、
アクセスネットワークを介して、タグ情報に含まれるコネクション接続情報の当該サーバに対するコネクションの接続を開始する第３のステップと
を有することを特徴とする。
【発明の効果】
【００２５】
本発明の携帯型情報機器、システム、プログラム及び方法によれば、携帯型情報機器が充電器から所定情報を読み取ることによって、充電中に様々なサービスを提供することができる。
【図面の簡単な説明】
【００２６】
【図１】携帯型情報機器を、充電パッドで充電する態様を表す説明図である。
【図２】携帯型情報機器及び充電器の外観構成図である。
【図３】本発明におけるシステム構成図である。
【図４】本発明における携帯型情報機器の機能構成図である。
【図５】本発明におけるシーケンス図である。
【図６】本発明における携帯型情報機器及び充電器の機能構成図である。
【発明を実施するための形態】
【００２７】
以下、本発明の実施の形態について、図面を用いて詳細に説明する。
【００２８】
図２は、携帯型情報機器及び充電器の外観構成図である。
【００２９】
図２によれば、スマートフォンのような携帯型情報機器１の裏面には、図１の受電部（コイル）１１に加えて、無線タグリーダ１２も埋め込まれている。また、充電パッドのような充電器２の上面には、図１の送電部（コイル）２１に加えて、無線タグ２２も貼り付けられている。簡単には、既存の充電パッド２に、無線タグ２２を貼り付けたものであってもよい。尚、受電部１１及び送電部２１は、Ｑｉ規格に基づくワイヤレス充電機能であることが好ましい。また、無線タグリーダ１２及び無線タグ２２は、ＮＦＣ規格に基づくものであることが好ましい。これら規格に基づく機能は、スマートフォンに、今後一般的に搭載されるものである。
【００３０】
図２によれば、充電パッド２には、スマートフォン１を設置する枠線も描かれている。ユーザは、この設置枠内にスマートフォン１を載せることによって、スマートフォン１の無線タグリーダ１２と、当該充電パッド２の無線タグ２２とが近接するよう位置する。Ｑｉ規格によれば、充電パッド２上のいずれの位置であっても、スマートフォン１の充電は可能である。しなしながら、ＮＦＣ規格によれば、無線タグと無線タグリーダとの間の距離は、できる限り近接させる必要がある。そのために、枠線が描かれている。
【００３１】
尚、以下では、携帯型情報機器１は、スマートフォンであって、充電器２は、充電パッドであるとして説明する。
【００３２】
図３は、本発明におけるシステム構成図である。
【００３３】
図３によれば、スマートフォン１は、無線ＬＡＮのアクセスポイント４や、３Ｇ又はＬＴＥ(Long Term Evolution)の基地局４、Bluetooth機器４との間で、無線リンクを接続することができる。特にアクセスポイント４は、ＬＡＮを介してアクセスネットワーク（プロバイダネットワーク）に接続する。アクセスポイント４や基地局４は、アクセスネットワークのエッジとして備えられている。これらアクセスネットワークは、インターネットに相互接続されており、インターネットには、コンテンツサーバ３が接続されている。このようなシステム構成によって、スマートフォン１は、コンテンツサーバ３からコンテンツを受信することができる。
【００３４】
図３によれば、コンテンツサーバ３は、広域ネットワークとしてのインターネットに接続されているが、アクセスポイント４が接続するＬＡＮに接続されたものであってもよい。例えば、店舗内の充電パッド２で充電中のスマートフォン１は、その店舗内のアクセスポイント４を介して、その店舗内ＬＡＮを介してコンテンツサーバ３に接続することができる。
【００３５】
また、スマートフォン１は、ＧＰＳ(Global Positioning System)衛星５からの電波を受信することによって、現在位置を測位することができる。また、携帯電話網における複数の基地局４からの電波を受信することによって、複数基地局測位方式に基づいて測位することもできる。これら測位によって、そのスマートフォン１を所持するユーザが滞在する店舗等を特定することができる。
【００３６】
図４は、本発明における携帯型情報機器の機能構成図である。
図５は、本発明におけるシーケンス図である。
【００３７】
図３によれば、携帯型情報機器１は、ハードウェアとして、少なくとも、受電部１１と、無線タグリーダ１２と、バッテリ１３とを有する。また、オプション的に、タッチパネルディスプレイ１４と、通信インタフェース１５と、測位部１６と、フロントカメラ１７とを有する。
【００３８】
タッチパネルディスプレイ１４は、スマートフォンには一般的に搭載されており、ユーザに対するインタフェースとなる。ディスプレイ機能によって、コンテンツを再生することによって、そのコンテンツをユーザに閲覧させることができる。また、タッチパネル機能によって、ユーザが持つ特定情報（例えば後述するクーポン番号）を取得することができる。
【００３９】
通信インタフェース１５は、無線ＬＡＮ（ＷｉＦｉ）のアクセスポイントや、Bluetoothの情報機器、３Ｇ(3rd Generation)若しくはＷｉＭＡＸ(Worldwide Interoperability for Microwave Access)の基地局との間で通信する無線通信部である。スマートフォン１は、アクセスポイント４や基地局４を介してアクセスネットワークに接続し、そのアクセスネットワークを経由してインターネットに接続された様々なサーバと通信することができる。
【００４０】
測位部１６は、現在位置を測位するものであり、例えばＧＰＳ測位方式に基づくものであってもよい。測位電波によって緯度・経度を測位することができる。また、測位部１６は、通信インタフェース１５と一体的となって、複数基地局測位方式に基づくものであってもよい。複数の基地局からの電波を受信することによって、大まかな現在位置を測位することができる。
【００４１】
フロントカメラ１７は、スマートフォンのタッチパネルディスプレイ１４側に配置されたものであって、そのタッチパネルディスプレイを見るユーザを撮像することができる。フロントカメラ１７も、スマートフォンには一般的に搭載されたものである。
【００４２】
図３によれば、携帯型情報機器（スマートフォン）１は、少なくとも、充電検知部１０１と、無線タグリーダ起動制御部１０２とを有する。また、オプション的に、リンク接続制御部１０３と、コネクション接続制御部１０４と、コンテンツ取得再生部１０５と、残容量検知部１０６と、顔認識部１０７と、サービス情報取得部１０８とを有する。これらの機能構成部は、携帯型情報機器に搭載されたコンピュータを機能させるプログラムを実行することによって実現される。特に、スマートフォンにインストールされる「アプリ」として実現することができる。また、これら機能構成部の処理の流れは、携帯型情報機器に対する充電方法としても理解できる。
【００４３】
［充電検知部１０１］
充電検知部１０１は、充電器２に近接された際に、受電部１１のコイルに起電力が発生した充電開始を検知する（図５のＳ１参照）。その充電開始の検知情報は、無線タグリーダ起動制御部１０２へ出力される。
【００４４】
ここで、充電検知部１０１は、受電部１１に起電力が発生したことを検知した際、電磁誘導の充電回路を一時的に（例えば５秒程度）切断することも好ましい。後述するように、スマートフォン１の無線タグリーダ１２が、充電器２の充電パッド２の無線タグ２２を読み取る時間、無線タグ用の電波に、充電用の電磁波が干渉しないようにすることができる。
【００４５】
［無線タグリーダ起動制御部１０２］
無線タグリーダ起動制御部１０２は、受電部１１の充電開始が検知された際に、無線タグリーダ１２を起動する（図５のＳ２参照）。そして、無線タグリーダ１２は、充電パッド２の無線タグのタグ情報を読み取る（図５のＳ３参照）。読み取られたタグ情報は、無線タグリーダ１２から出力される。
【００４６】
［リンク接続制御部１０３］
充電パッド２の無線タグ２２には、タグ情報として、アクセスネットワークのアクセスポイント又は基地局へのリンク接続情報が含まれているとする。リンク接続情報としては、例えば無線ＬＡＮのアクセスポイントの場合、ＳＳＩＤ(Service Set Identifier)であってもよい。ＳＳＩＤとは、アクセスポイントの識別子であって、最大３２文字までの英数字で設定される。
【００４７】
そして、リンク接続制御部１０３は、無線タグリーダ１２によって読み取られたリンク接続情報の当該アクセスポイント又は基地局に対するリンク接続を開始する（図５のＳ５参照）。例えば、無線タグ２２に、店舗内に配置したアクセスポイント４のＳＳＩＤを記述しておく。これによって、充電中のスマートフォン１に対して、その店舗のアクセスポイント４に接続させることができる。尚、リンク接続には、ＳＳＩＤのみならず、ユーザＩＤ及びパスワードの認証や、ＴＫＩＰ(Temporal Key Integrity Protocol)又はＡＥＳ(Advanced Encryption Standard)のようなパスワード暗号化の種類設定もある。これら設定情報は、ユーザに入力操作させることなく、スマートフォン１のアプリによって、できる限り自動的に送信されることが好ましい。
【００４８】
また、リンク接続制御部１０３は、所定の接続可能時間を計時するタイマを有する。このタイマは、期限付きのアクセス権のようなものである。アクセスネットワークへのリンクの接続時にタイマをスタートさせ、その後、タイマがタイムアウトした際に、アクセスネットワークとのリンクを切断する。タイマは、例えば２時間程度であってもよい。
【００４９】
［残容量検知部１０６］
残容量検知部１０６は、当該携帯型情報機器に搭載されたバッテリの充電残量を検知する。この充電残量は、リンク接続制御部１０３へ出力される。
【００５０】
ここで、リンク接続制御部１０３は、バッテリの充電残量が所定閾値以下である場合、アクセスネットワークのリンク接続を開始しない。バッテリの充電残量が極めて少ない場合、ネットワークへの接続に電力を消費してしまうためである。そのために、充電残量が所定閾値よりも多い場合にのみ、リンク接続を開始する。
【００５１】
［コネクション接続制御部１０４］
充電パッド２の無線タグ２２には、タグ情報として、サーバに対するコネクション情報が含まれているとする。コネクション情報としては、例えばホームページのＵＲＬ(Uniform Resource Locator)であってもよい。
【００５２】
ここで、コネクション接続制御部１０４は、アクセスネットワークを介して、無線タグリーダ１２によって読み取られたコネクション接続情報の当該サーバに対して、コネクション接続を開始する（図５のＳ６参照）。コネクションとは、例えばＴＣＰ／ＩＰによって接続されたクライアント−サーバ間のプロトコル確立を意味する。例えば、無線タグ２２に、店舗のホームページのＵＲＬを記述しておく。これによって、充電中のスマートフォン１に対して、その店舗のホームページをユーザに閲覧させることができる。
【００５３】
［コンテンツ取得再生部１０５］
コンテンツ取得再生部１０５は、コンテンツサーバ３へコンテンツ取得要求を送信する（図５のＳ６参照）。コンテンツ取得要求は、例えばＨＴＴＰ(Hyper Text Transfer Protocol)のＧＥＴリクエストであって、コネクションの接続先のコンテンツサーバ３のアドレスへ向けて送信される。そして、コンテンツ取得再生部１０５は、そのコンテンツサーバ３からコンテンツを受信し、そのコンテンツをユーザインタフェースで再生する。例えば、店舗内に配置した充電パッド２で充電中のスマートフォンへ、その店舗の広告コンテンツを配信することができる。店舗としては、充電用の電気代を、広告料の一部として考えることができる。
【００５４】
また、コンテンツ取得再生部１０５は、測位部１６によって測位された現在位置をコンテンツサーバ３へ送信することもできる。即ち、コンテンツ取得要求に、測位された現在位置を含める。これによって、コンテンツサーバは、当該現在位置に基づくコンテンツを検索し、そのコンテンツをスマートフォン１へ返信する。尚、「現在位置に基づくコンテンツ」とは、必ずしも位置情報に関するものに限られず、コンテンツサーバが、その位置に存在するスマートフォン１へ配信すべきコンテンツであればよい。
【００５５】
＜リンク接続制御部１０３とコネクション接続制御部１０４との関係＞
スマートフォン１は、アクセスポイント４又は基地局４との間でリンクを接続した後、そのアクセスネットワークを介してコンテンツサーバ３との間でコネクションを接続する。従来、スマートフォン１は、無線ＬＡＮのような無線リンクを確立するために、そのアクセスポイントに接続すべきＳＳＩＤの選択を必須とするものであった。そのために、前述したリンク接続制御部１０３は、アクセスポイント４と接続するためのＳＳＩＤを、充電パッド２の無線タグリーダ１２から読み取ることができる。
【００５６】
これに対し、近年、携帯電話網の認証を公衆無線ＬＡＮで実行する「HotSpot2.0」(WBA(Wireless Broadband Alliance))という規格技術がある。この技術によれば、３ＧやＬＴＥのような携帯電話網に接続可能なスマートフォンの場合、ＳＳＩＤを読み込むことなく自動的に、無線ＬＡＮのアクセスポイント４との間でリンクを接続することができる。
【００５７】
この技術を本願発明に適用した場合、無線タグリーダ１２によってコネクション情報が読み取られる。リンク接続制御部１０３は特に機能せず、その後、スマートフォン１は、例えば所定記憶情報又はHotSpot2.0によって、アクセスポイント４との間で無線リンクを確立する。その後、コネクション接続制御部１０４が、コネクション情報によって、コンテンツサーバ３との間でコネクションを確立し、そのコンテンツを受信することができる。
【００５８】
［顔認識部１０７］
顔認識部１０７は、フロントカメラ１７を用いて、当該ユーザがディスプレイに向かう顔を認識する。例えばAndroid（登録商標）の場合、"android.media.FaceDetector"というクラスを使用することによって、静止画の顔認識が可能となる。顔が認識された旨の情報が、コンテンツ取得再生部１０５へ出力される。
【００５９】
ここで、コンテンツ取得再生部１０５は、顔認識部１０７によって当該顔が認識されている際に、コンテンツサーバ３から受信したコンテンツをディスプレイに再生する。これによって、ユーザが、スマートフォン１の充電中に、そのディスプレイを見ている時にのみ、コンテンツを再生することができる。ここで、コンテンツ取得再生部１０５は、以下の２つのパターンで、コンテンツを再生する。
（１）顔認識部１０７によって顔が検知された際、コンテンツ取得再生部１０５は、コンテンツサーバ３へコンテンツ取得要求を送信する。その後、コンテンツサーバ３から受信したコンテンツを、ディスプレイで再生する。
（２）コンテンツ取得再生部１０５は、再生すべきコンテンツを、コンテンツサーバ３から既に受信して蓄積している。その上で、顔認識部１０７によって顔が検知された際、コンテンツ取得再生部１０５は、予め蓄積されたコンテンツを、ディスプレイで再生する。
【００６０】
［サービス情報取得部１０８］
サービス情報取得部１０８は、ユーザに対するサービス情報を取得する。ユーザから取得するサービス情報としては、例えば、その店舗で商品を購入した際のクーポン番号のようなものである。クーポン番号は、ユーザによって手入力された番号であってもよいし、ＱＲ(Quick Response)コードを読み取った番号であってもよい。
【００６１】
また、サービス情報取得部１０８は、当該スマートフォンに予め記録された所定サービス情報、例えば電子マネーの買い物履歴や、駅の入出場情報等を記憶したものであってもよい。このサービス情報は、コンテンツ取得再生部１０５へ出力される。コンテンツ取得再生部１０５は、これら所定サービス情報を含むコンテンツ取得要求を、コンテンツサーバ３へ送信する。これによって、コンテンツサーバ３は、コンテンツ取得要求に含まれる所定サービス情報に応じたコンテンツを検索し、当該コンテンツをスマートフォン１へ返信する。
【００６２】
このとき、コンテンツ取得再生部１０５は、そのサービス情報（例えばクーポン番号）を含むコンテンツ取得要求を、コンテンツサーバ３へ送信する。これによって、コンテンツサーバ３は、当該サービス情報に基づくコンテンツを検索し、そのコンテンツ（例えばクーポン）をスマートフォン１へ返信する。スマートフォン１のディスプレイに再生されたクーポンによって、ユーザは、新たなサービスの提供を受けることができる。尚、コンテンツ取得再生部１０５は、サービス情報と共に、現在位置も一緒に、コンテンツサーバ３へ送信することによって、サービス情報及び現在位置の組み合わせに基づくコンテンツを受信することもできる。
【００６３】
図６は、本発明における携帯型情報機器及び充電器の機能構成図である。
【００６４】
図６によれば、スマートフォン１が近距離通信部１８を搭載すると共に、充電器２も近距離通信部２４を搭載しており、相互に通信することができる。近距離通信部は、例えばBluetooth（登録商標）規格に基づくものであってもよい。Bluetoothは、数ｍ程度の近距離無線通信方式であって、２．４５ＧＨｚ帯の電波を２４Ｍｂｐｓで通信することができる。また、Bluetoothにおける機器間のペアリングは、無線タグのＮＦＣによって近接された際に、自動的に交換される。これによって、ユーザ自らペアリングの操作をすることなく、Bluetoothに基づく近距離通信が可能となる。スマートフォン１は、自らのディスプレイに表示すべきコンテンツを、近距離通信部１８から送信する。
【００６５】
また、図６によれば、充電器２には、充電パッドと共に、タッチパネルディスプレイ２５が搭載されている。充電器２は、スマートフォン１から近距離通信部２４で受信したコンテンツを、そのタッチパネルディスプレイ２５に表示する。ユーザは、充電パッドにスマートフォン１を載せて充電すると共に、充電器２のタッチパネルディスプレイ２５でコンテンツを閲覧することもができる。勿論、ユーザからタッチパネルに対して操作された情報も、充電器２の近距離通信部２４から、スマートフォン１の近距離通信部１８へ送信される。
【００６６】
尚、図６によれば、スマートフォン１と充電器２との間をBluetoothを介して近距離で通信する例を説明したが、勿論、ＨＤＭＩ(High-Definition Multimedia Interface)（登録商標）やＵＳＢ(Universal Serial Bus)ケーブルを介して接続されるものであってもよい。また、タッチパネルディスプレイも、必ずしも充電器２と一体的に構成される必要もなく、外部に設置された単体のタッチパネルディスプレイであってもよい。
【００６７】
以上、詳細に説明したように、本発明の携帯型情報機器、システム、プログラム及び方法によれば、携帯型情報機器が充電器から所定情報を読み取ることによって、充電中に様々なサービスを提供することができる。
【００６８】
店舗側としては、カフェ、レストラン、ショッピングセンタのフードコートの飲食席などに、ワイヤレス充電パッドを設置する。そして、入店したユーザが、そのスマートフォンをその充電パッドに載せるだけで、自動的にアクセスネットワークに接続し、そのユーザのスマートフォンへ広告情報を配信することもできる。
【００６９】
前述した本発明の種々の実施形態について、本発明の技術思想及び見地の範囲の種々の変更、修正及び省略は、当業者によれば容易に行うことができる。前述の説明はあくまで例であって、何ら制約しようとするものではない。本発明は、特許請求の範囲及びその均等物として限定するものにのみ制約される。
【符号の説明】
【００７０】
１  携帯型情報機器、スマートフォン
１０１  充電検知部
１０２  無線タグリーダ起動制御部
１０３  リンク接続制御部
１０４  コネクション接続制御部
１０５  コンテンツ取得再生部
１０６  残容量検知部
１０７  顔認識部
１０８  サービス情報取得部
１１  受電部
１２  無線タグリーダ
１３  バッテリ
１４  タッチパネルディスプレイ
１５  通信インタフェース
１６  測位部
１７  フロントカメラ
１８  近距離通信部
２  充電器、充電パッド
２１  送電部
２２  無線タグ
２３  枠線
２４  近距離通信部
２５  タッチパネルディスプレイ
３  コンテンツサーバ
４  アクセスポイント、基地局
【図１】
0006023026.tif 000002
【図２】
0006023026.tif 000003
【図３】
0006023026.tif 000004
【図４】
0006023026.tif 000005
【図５】
0006023026.tif 000006
【図６】
0006023026.tif 000007